(57)【要約】【課題】組み立てが容易で拡張性に優れる什器の提供。【解決手段】什器１は、第１貫通孔１１が形成された第１側板１０と、第２貫通孔２１が形成された第２側板２０と、第１側板１０及び第２側板２０に架け渡された接続部３０と、を備え、接続部３０は、第１貫通孔１１に差し込まれる第１差込部３１と、第２貫通孔２１に差し込まれる第２差込部３３と、第１差込部３１及び第２差込部３３の間を接続し、物品を支持する物品支持部３５と、を備え、第１側板１０に対する接続部３０の左右方向の移動を規制する第１規制部４０Ａと、第２側板２０に対する接続部３０の左右方向の移動を規制する第２規制部４０Ｂと、を備えている。【選択図】図１
0003228474.tif 000002
【実用新案登録請求の範囲】
【請求項１】
左右方向に貫通する第１貫通孔が形成され、上下方向に延びる第１側板と、
左右方向に貫通する第２貫通孔が形成され、前記第１側板に左右方向で対向して配置される第２側板と、
前記第１側板及び前記第２側板に架け渡された接続部と、を備え、
前記接続部は、
前記第１貫通孔に差し込まれるとともに、前記第１側板に対して前記第２側板とは反対側で左右方向に交差する方向に開口する第１凹部を有する第１差込部と、
前記第２貫通孔に差し込まれるとともに、前記第２側板に対して前記第１側板とは反対側で左右方向に交差する方向に開口する第２凹部を有する第２差込部と、
前記第１差込部及び前記第２差込部の間を接続し、物品を支持する物品支持部と、を備え、
前記第１凹部内に着脱可能に嵌合されて、前記第１側板に対する前記接続部の左右方向の移動を規制する第１規制部と、
前記第２凹部内に着脱可能に嵌合されて、前記第２側板に対する前記接続部の左右方向の移動を規制する第２規制部と、を備えている什器。
【請求項２】
前記第１貫通孔及び前記第２貫通孔が、前記第１側板及び前記第２側板の前後方向に複数形成されている請求項１に記載の什器。
【請求項３】
前記第１差込部及び前記第２差込部が、前記接続部の前後方向に複数形成されている請求項１または２に記載の什器。
【請求項４】
前記第１側板及び前記第２側板が、前後方向に分割されており、
前記接続部は、分割された前後の前記第１側板及び前記第２側板に跨って架け渡されている請求項３に記載の什器。
【考案の詳細な説明】
【技術分野】
【０００１】
本考案は、什器に関する。
【背景技術】
【０００２】
下記特許文献１には、必要数だけ継ぎ足していける組立式連続棚が開示されている。この組立式連続棚は、断面方形の支え棒の両端部に端に近い方の側面が傾斜した透孔を穿ち、棚板の端面に上記支え棒の端部を挿入する挿入孔を設けるとともに棚板の上下面より上記挿入孔と内部交叉する貫通孔を透設し、中間枠板に挿通孔を設けて上記支え棒を挿通しさらに支え棒の両端部を左右棚板の挿入孔に挿入して後、棚板の上記貫通孔と支え棒の透孔にくさびを貫通して、くさびの両側面を支え棒の透孔の傾斜面と棚板の貫通孔の側面とに摺圧せしめて成る。
【先行技術文献】
【特許文献】
【０００３】
【特許文献１】実公昭４９−１０８９９号公報
【考案の概要】
【考案が解決しようとする課題】
【０００４】
上記組立式連続棚は、棚板同士の連結に専用の部品（支え棒）を使用し、部品点数が多いことから、組み立てが煩雑であった。また、上記組立式連続棚は、左右方向に棚板を継ぎ足すのみで、拡張性が乏しかった。
【０００５】
本考案は、上記問題点に鑑みてなされたものであり、組み立てが容易で拡張性に優れる什器の提供を目的とする。
【課題を解決するための手段】
【０００６】
上記目的を達成するために、本考案の一態様に係る什器は、左右方向に貫通する第１貫通孔が形成され、上下方向に延びる第１側板と、左右方向に貫通する第２貫通孔が形成され、前記第１側板に左右方向で対向して配置される第２側板と、前記第１側板及び前記第２側板に架け渡された接続部と、を備え、前記接続部は、前記第１貫通孔に差し込まれるとともに、前記第１側板に対して前記第２側板とは反対側で左右方向に交差する方向に開口する第１凹部を有する第１差込部と、前記第２貫通孔に差し込まれるとともに、前記第２側板に対して前記第１側板とは反対側で左右方向に交差する方向に開口する第２凹部を有する第２差込部と、前記第１差込部及び前記第２差込部の間を接続し、物品を支持する物品支持部と、を備え、前記第１凹部内に着脱可能に嵌合されて、前記第１側板に対する前記接続部の左右方向の移動を規制する第１規制部と、前記第２凹部内に着脱可能に嵌合されて、前記第２側板に対する前記接続部の左右方向の移動を規制する第２規制部と、を備えている。
【考案の効果】
【０００７】
上記態様によれば、組み立てが容易で拡張性に優れる什器が得られる。
【図面の簡単な説明】
【０００８】
【図１】一実施形態に係る什器１の斜視図である。
【図２】一実施形態に係る什器１の分解斜視図である。
【図３】一実施形態に係る（ａ）側板５０Ａの側面図、（ｂ）側板５０Ｂの側面図である。
【図４】一実施形態に係る（ａ）接続板６０Ａの平面図、（ｂ）接続板６０Ｂの平面図である。
【図５】他の実施形態に係る什器１の斜視図である。
【図６】他の実施形態に係る什器１の組み合わせセットの例を示す斜視図である。
【図７】他の実施形態に係る什器１の組み合わせセットの例を示す斜視図である。
【考案を実施するための形態】
【０００９】
以下、本考案の一実施形態について図面を参照して説明する。
【００１０】
図１は、一実施形態に係る什器１の斜視図である。図２は、一実施形態に係る什器１の分解斜視図である。
図１に示すように、什器１は、第１側板１０と、第１側板１０と対向して配置された第２側板２０と、第１側板１０と第２側板２０との間を接続する接続部３０と、を備えている。この什器１は、例えば、物品を載置する棚、机、化粧台などとして使用できる。
【００１１】
なお、以下の説明においては、ＸＹＺ直交座標系を設定し、このＸＹＺ直交座標系を参照しつつ各部材の位置関係について説明することがある。Ｘ軸方向は、什器１の前後方向である。Ｙ軸方向は、什器１の左右方向である。Ｚ軸方向は、什器１の上下方向である。
図１に示すように、第１側板１０と第２側板２０は、左右方向（Ｙ軸方向）で対向して配置されている。接続部３０は、左右方向に延在し、第１側板１０及び第２側板２０に架け渡されている。
【００１２】
図２に示すように、第１側板１０には、左右方向に貫通する第１貫通孔１１が形成されている。また、第２側板２０には、左右方向に貫通する第２貫通孔２１が形成されている。接続部３０は、第１貫通孔１１に差し込まれる第１差込部３１と、第２貫通孔２１に差し込まれる第２差込部３３と、を備えている。
【００１３】
第１差込部３１には、左右方向に交差する方向（本実施形態では上下方向：Ｚ軸方向）に開口する第１凹部３２が形成されている。なお、第１凹部３２の開口する方向は、上下方向に対して斜めに傾いていても構わない。第１凹部３２は、図１に示すように、第１側板１０に対して第２側板２０とは反対側（−Ｙ側）で開口している。
【００１４】
第１凹部３２内には、第１規制部４０Ａが着脱可能に嵌合している。第１規制部４０Ａは、所謂くさびであり、第１側板１０と対向する側（＋Ｙ側）は垂直面であり、第１側板１０と対向しない側（−Ｙ側）は傾斜面となっている。この第１規制部４０Ａが、第１凹部３２に挿入されることで、第１側板１０に対する接続部３０の左右方向の移動が規制される。
【００１５】
図２に示すように、第２差込部３３には、左右方向に交差する方向（本実施形態では上下方向：Ｚ軸方向）に開口する第２凹部３４が形成されている。なお、第２凹部３４の開口する方向は、上下方向に対して斜めに傾いていても構わない。第２凹部３４は、図１に示すように、第２側板２０に対して第１側板１０とは反対側（＋Ｙ側）で開口している。
【００１６】
第２凹部３４内には、第２規制部４０Ｂが着脱可能に嵌合している。第２規制部４０Ｂは、所謂くさびであり、第２側板２０と対向する側（−Ｙ側）は垂直面であり、第２側板２０と対向しない側（＋Ｙ側）は傾斜面となっている。この第２規制部４０Ｂが、第２凹部３４に挿入されることで、第２側板２０に対する接続部３０の左右方向の移動が規制される。
【００１７】
図２に示すように、第１側板１０及び第２側板２０は、前後方向においてそれぞれ２つの側板５０Ａ，側板５０Ｂに分割可能とされている。また、接続部３０は、第１差込部３１及び第２差込部３３を１つずつ備える接続板６０Ａと、第１差込部３１及び第２差込部３３を２つずつ備える接続板６０Ｂと、を備えている。
【００１８】
図３は、一実施形態に係る（ａ）側板５０Ａの側面図、（ｂ）側板５０Ｂの側面図である。
図３（ａ）に示すように、側板５０Ａは、上下方向（Ｚ軸方向）に延びる長方形の板状に形成されている。側板５０Ａには、前後方向（Ｘ軸方向）に延びる長方形の長孔５１（ほぞ穴やほぞ溝とも言う）が形成されている。
【００１９】
長孔５１は、上述した第１貫通孔１１及び第２貫通孔２１を形成している。長孔５１は、側板５０Ａの上下方向に間隔をあけて複数（９個）形成されている。また、長孔５１は、側板５０Ａの前後方向に間隔をあけて複数（２列）形成されている。
【００２０】
図３（ｂ）に示すように、側板５０Ｂは、上下方向（Ｚ軸方向）に延びる長方形の板状に形成されている。側板５０Ｂにも、側板５０Ａと同じピッチで長孔５１が形成されている。但し、側板５０Ｂの上下方向の寸法は、上述した側板５０Ａよりも小さい。このため、長孔５１は、側板５０Ｂの上下方向に間隔をあけて複数（５個）形成されている。また、長孔５１は、側板５０Ｂの前後方向に間隔をあけて複数（２列）形成されている。
【００２１】
図４は、一実施形態に係る（ａ）接続板６０Ａの平面図、（ｂ）接続板６０Ｂの平面図である。
図４（ａ）に示すように、接続板６０Ａは、左右方向（Ｙ軸方向）に延びる長方形の物品支持部３５と、物品支持部３５の左右方向の一方（−Ｙ側）の端面から突出した第１差込部３１と、物品支持部３５の左右方向の他方（＋Ｙ側）の端面から突出した第２差込部３３と、を備えている。
【００２２】
物品支持部３５は、第１差込部３１及び第２差込部３３の間を接続している。なお、物品支持部３５は、平板状であるが、目的の物品を支持できれば波板状やワインラックのような形状であっても構わない。この物品支持部３５の前後方向の幅Ｗ１は、第１差込部３１（第２差込部３３も同様）の前後方向の幅Ｗ２よりも大きい。幅Ｗ２は、幅Ｗ１の１／２の寸法で形成されている。なお、幅Ｗ２は、幅Ｗ１の１／２以下の寸法で形成されていても構わない。
【００２３】
図４（ｂ）に示すように、接続板６０Ｂは、左右方向（Ｙ軸方向）に延びる長方形の物品支持部３５と、物品支持部３５の左右方向の一方（−Ｙ側）の端面から突出した２つの第１差込部３１と、物品支持部３５の左右方向の他方（＋Ｙ側）の端面から突出した２つの第２差込部３３と、を備えている。
【００２４】
物品支持部３５は、２つの第１差込部３１及び２つの第２差込部３３の間を接続している。この物品支持部３５の前後方向の幅Ｗ３は、上述した接続板６０Ａの物品支持部３５の幅Ｗ１よりも大きい。なお、幅Ｗ３は、幅Ｗ１の２倍の寸法で形成されている。なお、なお、幅Ｗ３は、幅Ｗ１の２倍以上の寸法で形成されていても構わない。
【００２５】
接続板６０Ｂの２つの第１差込部３１（第２差込部３３も同様）の前後方向のピッチは、図３に示す長孔５１の前後方向のピッチと同じになっている。また、前側（＋Ｘ側）に配置された第１差込部３１（第２差込部３３も同様）から物品支持部３５の前端縁までの距離は、長孔５１の前後方向のピッチの１／２となっている。また、後側（−Ｘ側）に配置された第１差込部３１（第２差込部３３も同様）から物品支持部３５の後端縁までの距離は、長孔５１の前後方向のピッチの１／２となっている。
【００２６】
なお、上述した接続板６０Ａ，６０Ｂの物品支持部３５の左右方向（Ｙ軸方向）の長さは、複数のサイズがある。このため、第１側板１０及び第２側板２０の左右方向の間隔は、変更可能とされている。
【００２７】
図２に示すように、上から１段目の接続部３０は、接続板６０Ａのみによって形成されている。また、上から２段目の接続部３０は、接続板６０Ｂのみによって形成されている。また、上から３段目の接続部３０は、接続板６０Ａ及び接続板６０Ｂによって形成されている。そして、上から４段目〜５段目の接続部３０は、２つの接続板６０Ａ及び１つの接続板６０Ｂによって形成されている。
【００２８】
３段目以下の接続部３０を形成する接続板６０Ｂは、分割された前後の側板５０Ａ及び側板５０Ｂに跨って架け渡されている。つまり、接続板６０Ｂの後側の第１差込部３１及び第２差込部３３は、側板５０Ａの前側の長孔５１に差し込まれている。また、接続板６０Ｂの前側の第１差込部３１及び第２差込部３３は、側板５０Ｂの後側の長孔５１に差し込まれている。これにより、前後の側板５０Ａ及び側板５０Ｂを、接続板６０Ｂのみで連結できる。このため、什器１の部品点数が少なく、組み立てが容易で、且つ前後方向の拡張性に優れる。
【００２９】
このように、上述した本実施形態の什器１によれば、左右方向に貫通する第１貫通孔１１が形成され、上下方向に延びる第１側板１０と、左右方向に貫通する第２貫通孔２１が形成され、第１側板１０に左右方向で対向して配置される第２側板２０と、第１側板１０及び第２側板２０に架け渡された接続部３０と、を備え、接続部３０は、第１貫通孔１１に差し込まれるとともに、第１側板１０に対して第２側板２０とは反対側で左右方向に交差する方向に開口する第１凹部３２を有する第１差込部３１と、第２貫通孔２１に差し込まれるとともに、第２側板２０に対して第１側板１０とは反対側で左右方向に交差する方向に開口する第２凹部３４を有する第２差込部３３と、第１差込部３１及び第２差込部３３の間を接続し、物品を支持する物品支持部３５と、を備え、第１凹部３２内に着脱可能に嵌合されて、第１側板１０に対する接続部３０の左右方向の移動を規制する第１規制部４０Ａと、第２凹部３４内に着脱可能に嵌合されて、第２側板２０に対する接続部３０の左右方向の移動を規制する第２規制部４０Ｂと、を備えているため、組み立てが容易で拡張性に優れる。
【００３０】
また、本実施形態においては、第１貫通孔１１及び第２貫通孔２１が、第１側板１０及び第２側板２０の前後方向に複数形成されている。この構成によれば、接続部３０の前後方向の幅広対応が可能となり、また、図１及び図２に示す上から１段目の接続部３０のように、前後位置の変更対応が可能となる。
【００３１】
また、本実施形態においては、第１差込部３１及び第２差込部３３が、接続部３０の前後方向に複数形成されている。この構成によれば、接続部３０の前後方向の幅広対応が可能となり、また、第１差込部３１及び第２差込部３３の数が増えることで、物品支持部３５における耐荷重性を向上させることができる。
【００３２】
また、本実施形態においては、第１側板１０及び第２側板２０が、前後方向に分割されており、接続部３０（接続板６０Ｂ）は、分割された前後の第１側板１０及び第２側板２０（側板５０Ａ及び側板５０Ｂ）に跨って架け渡されている。この構成によれば、前後の側板５０Ａ及び側板５０Ｂを、接続板６０Ｂのみで連結することができる。このため什器１の部品点数が減り、組み立てが容易で、且つ、前後方向の拡張性に優れる。
【００３３】
図５は、他の実施形態に係る什器１の斜視図である。
図５に示す什器１は、上述した前後方向の拡張ではなく、左右方向に拡張した例である。この什器１は、上述した側板５０Ａ、側板５０Ｂの他に、長孔５１が上下方向に３個の側板５０Ｃと、長孔５１が上下方向に１１個の側板５０Ｄと、を備えている。側板５０Ａ〜５０Ｄは、背の低い順に並んでおり、それぞれの間が、接続板６０Ａや接続板６０Ｂによって接続されている。このように、什器１は、左右方向の拡張性にも優れている。
【００３４】
図６は、他の実施形態に係る什器１の組み合わせセットの例を示す斜視図である。
図６（ａ）に示す什器１は、上下方向に３個の長孔５１が１列で形成された２枚の側板５０Ｓ１と、２枚の側板５０Ｓ１に架け渡され、第１差込部３１及び第２差込部３３が左右方向に１つずつ形成された２枚の接続板６０Ａと、を備えている。
【００３５】
図６（ｂ）に示す什器１は、上下方向に５個の長孔５１が１列で形成された２枚の側板５０Ｓ２と、２枚の側板５０Ｓ２に架け渡され、第１差込部３１及び第２差込部３３が左右方向に１つずつ形成された２枚の接続板６０Ａと、を備えている。
図６（ｃ）に示す什器１は、上下方向に９個の長孔５１が１列で形成された２枚の側板５０Ｓ３と、２枚の側板５０Ｓ３に架け渡され、第１差込部３１及び第２差込部３３が左右方向に１つずつ形成された４枚の接続板６０Ａと、を備えている。
【００３６】
図７は、他の実施形態に係る什器１の組み合わせセットの例を示す斜視図である。
図７（ａ）に示す什器１は、上下方向に５個の長孔５１が２列で形成された２枚の側板５０Ｂと、２枚の側板５０Ｂに架け渡され、第１差込部３１及び第２差込部３３が左右方向に２つずつ形成された３枚の接続板６０Ｂと、を備えている。
【００３７】
図７（ｂ）に示す什器１は、上下方向に１１個の長孔５１が２列で形成された２枚の側板５０Ｄと、２枚の側板５０Ｄに架け渡され、第１差込部３１及び第２差込部３３が左右方向に２つずつ形成された４枚の接続板６０Ｂと、を備えている。
【００３８】
上述した図６や図７に示す什器１の各パーツを適宜組み合わせることによって、什器１のレイアウトを自由に拡張変更することができる。
【００３９】
以上、本考案の好ましい実施形態を記載し説明してきたが、これらは本考案の例示的なものであり、限定するものとして考慮されるべきではないことを理解すべきである。追加、省略、置換、およびその他の変更は、本考案の範囲から逸脱することなく行うことができる。従って、本考案は、前述の説明によって限定されていると見なされるべきではなく、実用新案登録請求の範囲によって制限されている。
【符号の説明】
【００４０】
１…什器、１０…第１側板、１１…第１貫通孔、２０…第２側板、２１…第２貫通孔、３０…接続部、３１…第１差込部、３２…第１凹部、３３…第２差込部、３４…第２凹部、３５…物品支持部、４０Ａ…第１規制部、４０Ｂ…第２規制部
【図１】
0003228474.tif 000003
【図２】
0003228474.tif 000004
【図３】
0003228474.tif 000005
【図４】
0003228474.tif 000006
【図５】
0003228474.tif 000007
【図６】
0003228474.tif 000008
【図７】
0003228474.tif 000009